(57)【要約】【課題】従来の微細藻類を使用したシート材の製造方法においては、シート材を簡単に製造でき、また、既存のシート材についても容易に生分解性のシート材にすること。【解決手段】パルプを主原料としたシート材の表面に微細な藻類を使用して塗工処理したシート材の製造方法であって、少なくとも一種の微細藻類に液体を添加し、これを撹拌したもの、該撹拌をして前記微細藻類の成分を抽出した後に濾過して得た抽出残渣、または該抽出残渣を取り除いた抽出液、のいずれか一種または二種以上を混合させて塗工処理剤にし、パルプを主原料とするシート材の表面に前記塗工処理剤を塗布して、前記シート材を乾燥させることにより、シート材を簡単に製造でき、また、既存のシート材についても容易に生分解性のシート材にすることができる。【選択図】  なし【特許請求の範囲】
【請求項１】
パルプを主原料としたシート材の表面に微細な藻類を使用して塗工処理したシート材の製造方法であって、
少なくとも一種の微細藻類に液体を添加し、
これを撹拌したもの、
該撹拌をして前記微細藻類の成分を抽出した後に濾過して得た抽出残渣、
または該抽出残渣を取り除いた抽出液、
のいずれか一種または二種以上を混合させて塗工処理剤にし、
パルプを主原料とするシート材の表面に前記塗工処理剤を塗布して、前記シート材を乾燥させること
を特徴とする微細藻類を使用したシート材の製造方法。
【請求項２】
前記パルプを主原料とするシート材は、
少なくとも一種の微細藻類をそのまま、
該微細藻類に液体を添加及び撹拌して前記微細藻類の成分を抽出した後に濾過して得た抽出残渣、
または該抽出残渣を取り除いた抽出液、
のいずれか一種または二種以上を混合させて微細藻類混合物にし、
パルプをスラリー状にしたパルプスラリーに前記微細藻類混合物を添加して撹拌し、これを抄紙したこと
を特徴とする請求項１に記載の微細藻類を使用したシート材の製造方法。
【請求項３】
前記塗工処理剤またはパルプを主原料とするシート材には、
前記シート材または前記パルプスラリーの１〜３重量％の紙力増強剤を添加したこと
を特徴とする請求項１または２に記載の微細藻類を使用したシート材の製造方法。
【請求項４】
前記微細藻類は、
藍藻綱、灰青藻綱、紅藻綱、黄色鞭毛藻綱、黄緑色藻綱、渦鞭毛藻網、褐色鞭毛藻綱、ラフィド藻綱、ミドリムシ藻綱、緑藻綱、プラシノ藻綱、珪藻綱、真正眼点藻綱、ハプト藻綱またはユーグレナ藻綱のいずれかに属する微細藻類であること
を特徴とする請求項１または２に記載の微細藻類を使用したシート材の製造方法。
【請求項５】
前記液体が、
水、エタノール、メタノール、アセトンまたはグリセリンであること
を特徴とする請求項１または２に記載の微細藻類を使用したシート材の製造方法。
【発明の詳細な説明】
【０００１】
【発明の属する技術分野】
本発明は、例えば、紙またはマルチングシート等のシート材の表面に微細藻類を混合させた液体、微細藻類の抽出液またはその抽出残渣を塗布することによって、前記シート材を生分解性にする微細藻類を使用したシート材の製造方法に関するものである。
【０００２】
【従来の技術】
近年、木材パルプからなるシート材を製造することによって木材資源が減少するという環境的な問題があり、一方で、池、沼、湖または海等に微細藻類が発生するという環境的な問題がある。
【０００３】
そして、前記シート材を廃棄した場合には、該シート材を燃焼させることによってＣＯ２等のガスを生じて環境を汚染し、また、前記パルプからなるシート材を、例えば、農業用のマルチングシートとして使用した場合には、前記シート材の分解速度が遅いため、同一の土壌で続けて栽培を行おうとした際に、前記シート材がほとんど分解していないということがあった。
【０００４】
そこで、これら環境問題の対策の一つとして、前記微細藻類を使用してマルチングシートを製造する方法がある（特許文献１参照）。
【０００５】
この特許文献１の公知技術の藻マルチングシート及びその製造方法においては、叩解装置でパルプを叩きもみほぐし、該パルプにクロレラを入れ、濃度調整、ペーハー調整、歩留まり向上剤の添加及び除塵をし、抄紙して前記マルチングシートを得るというものである。
【０００６】
【特許文献１】
特開２０００−２３６７５７号公報（第２頁、図１）
【０００７】
【発明が解決しようとする課題】
しかしながら、前記特許文献１の公知技術においては、前記マルチングシートを製造する際に、前述のような複雑な工程を要するものであり、また、既存する紙またはマルチングシート等のシート材を使用することができないという問題点を有する。
【０００８】
従って、従来の微細藻類を使用したシート材の製造方法においては、シート材を簡単に製造でき、また、既存のシート材についても容易に生分解性のシート材にすることができるようにするということに解決しなければならない課題を有している。
【０００９】
【課題を解決するための手段】
上記した従来例の課題を解決する具体的手段として本発明に係る発明として、パルプを主原料としたシート材の表面に微細な藻類を使用して塗工処理したシート材の製造方法であって、少なくとも一種の微細藻類に液体を添加し、これを撹拌したもの、該撹拌をして前記微細藻類の成分を抽出した後に濾過して得た抽出残渣、または該抽出残渣を取り除いた抽出液、のいずれか一種または二種以上を混合させて塗工処理剤にし、パルプを主原料とするシート材の表面に前記塗工処理剤を塗布して、前記シート材を乾燥させることを特徴とする微細藻類を使用したシート材の製造方法の製造方法を提供するものである。
【００１０】
この発明においては、前記パルプを主原料とするシート材は、少なくとも一種の微細藻類をそのまま、該微細藻類に液体を添加及び撹拌して前記微細藻類の成分を抽出した後に濾過して得た抽出残渣、または該抽出残渣を取り除いた抽出液、のいずれか一種または二種以上を混合させて微細藻類混合物にし、パルプをスラリー状にしたパルプスラリーに前記微細藻類混合物を添加して撹拌し、これを抄紙したこと；前記塗工処理剤またはパルプを主原料とするシート材には、前記シート材または前記パルプスラリーの１〜３重量％の紙力増強剤を添加したこと；前記微細藻類は、藍藻綱、灰青藻綱、紅藻綱、黄色鞭毛藻綱、黄緑色藻綱、渦鞭毛藻網、褐色鞭毛藻綱、ラフィド藻綱、ミドリムシ藻綱、緑藻綱、プラシノ藻綱、珪藻綱、真正眼点藻綱、ハプト藻綱またはユーグレナ藻綱のいずれかに属する微細藻類であること；前記液体が、水、エタノール、メタノール、アセトンまたはグリセリンであること；を付加的な要件として含むものである。
【００１１】
本発明に係る微細藻類を使用したシート材の製造方法は、微細藻類混合液体、微細藻類の抽出液、または該抽出残渣のいずれか一種または二種以上を混合して塗工処理剤にし、該塗工処理剤をパルプを主原料とするシート材の表面に塗布して、該シート材を乾燥させることにより、池、沼、湖または海等の発生した微細藻類を有効に処理できると共に、シート材を簡単に製造でき、また、既存する紙またはマルチングシート等のシート材を容易に生分解性のシート材にすることができ、更に、微細藻類をシート材の表面に存在させているため、パルプに藻を添加して作製したマルチングシートよりも、速やかに生分解されるようにできるのである。
【００１２】
【発明の実施の形態】
次に、本発明を具体的な実施の形態に基づいて詳しく説明する。
本発明に係る微細な藻類としては、藍藻綱（Ｃｙａｎｏｐｈｙｃｅａｅ）クロオコックス目（Ｃｙｒｏｏｃｏｃｃａｃｅａｅ）のシネコキスチス属（Ｓｙｎｅｃｈｏｃｙｓｔｉｓ）、シネココックス属（Ｓｙｎｅｃｈｏｃｏｃｃｕｓ）、ダクチロコッコプシス属（Ｄａｃｔｙｌｏｃｏｃｃｏｐｓｉｓ）、テトラペジア属（Ｔｅｔｒａｐｅｄｉａ）、クロオコックス属（Ｃｈｒｏｏｃｏｃｃｕｓ）、ミクロキスチス属（Ｍｉｃｒｏｃｙｓｔｉｓ）、アファノカプサ属（Ａｐｈａｎｏｃａｐｓａ）、グロエオカプサ属（Ｇｌｏｅｏｃａｐｓａ）、アファノテーケ属（Ａｐｈａｎｏｔｈｅｃｅ）、ラブドゲルマ属（Ｒｈａｂｄｏｄｅｒｍａ）、グロエオケーテ属（Ｇｌｏｅｏｔｈｅｃｅ）、プソイドホロペジア属（Ｐｓｅｕｄｏｈｏｌｏｐｅｄｉａ）、メリスモペジウム属（Ｍｅｒｉｓｍｏｐｅｄｉｕｍ）、ユウカプシス属（Ｅｕｃａｐｓｉｓ）、ゴンフェスフェリア属（Ｇｏｍｐｈｏｓｐｈａｅｒｉａ）、コエロスフェリウム属（Ｃｏｅｌｏｓｐｈａｅｒｉｕｍ）又はアイノゴノメ属（Ｍｅｒｉｓｍｏｐｅｄｉａ）及びカマエシフォン目（Ｃｈａｍａｅｓｉｐｈｏｎａｌｅｓ）のカマエシフォン属（Ｃｈａｍａｅｓｉｐｈｏｎ）及びプレウロカプサ目（Ｐｌｅｕｒｏｃａｐｓａｌｅｓ）のミクソサルシナ属（Ｍｙｘｏｓａｒｃｉｎａ）、ヒドロコックス属（Ｈｙｄｒｏｃｏｃｃｕｓ）、クセノコックス属（Ｘｅｎｏｃｏｃｃｕｓ）又はプレウロカプサ属（Ｐｌｅｕｒｏｃａｐｓａ）及びネンジュモ目（Ｎｏｓｔｏｃａｌｅｓ）のノストック属（Ｎｏｓｔｏｃ）、ホモエオスリックス属（Ｈｏｍｏｅｏｔｈｒｉｘ）、ジコスリックス属（Ｄｉｃｈｏｔｈｒｉｘ）、カロスリックス属（Ｃａｌｏｔｈｒｉｘ）、グロエオトリキア属（Ｇｌｏｅｏｔｒｉｃｈｉａ）、ヒゲモ属（Ｒｉｖｕｌａｒｉａ）、イサクチス属（Ｉｓａｃｔｉｓ）、プレクトネマ属（Ｐｌｅｃｔｏｎｅｍａ）、トリポスリックス属（Ｔｏｌｙｐｏｔｈｒｉｘ）、スキトネマ属（Ｓｃｙｔｏｎｅｍａ）、スキトネマトプシス属（Ｓｃｙｔｏｎｅｍａｔｏｐｓｉｓ）、ヒドロコリーネ属（Ｈｙｄｒｏｃｏｒｙｎｅ）、ミクロケト属（Ｍｉｃｒｏｃｈａｅｔｅ）、ネンジュモ属（Ｎｏｓｔｏｃ）、アファニゾメノン属（Ａｐｈａｎｉｚｏｍｅｎｏｎ）、アナベナ属（Ａｎａｂａｅｎａ）、アウロシラ属（Ａｕｌｏｓｉｒａ）、ノジュラリア属（Ｎｏｄｕｌａｒｉａ）、アナベノプシス属（Ａｎａｂａｅｎｏｐｓｉｓ）又はキリンドロスペルマム属（Ｃｙｌｉｎｄｒｏｓｐｅｒｍｕｍ）及びユレモ目（Ｏｓｃｉｌｌａｔｏｒｉａｌｅｓ）のボルジア属（Ｂｏｒｚｊａ）、スピルリナ属（Ｓｐｉｒｕｌｉｎａ）、ユレモ属（Ｏｓｃｉｌｌａｔｏｒｉａ）、フォルミジウム属（Ｐｈｏｒｍｉｄｉｕｍ）、リングピア属（Ｌｙｎｇｂｙａ）、シンプロカ属（Ｓｙｍｐｌｏｃａ）、ムラサキクダモ属（Ｐｏｒｐｈｙｒｏｓｉｐｈｏｎ）、ダシグロエア属（Ｄａｓｙｇｌｏｅａ）、シゾスリックス属（Ｓｃｈｉｚｏｔｈｒｉｘ）又はミクロコレウス属（Ｍｉｃｒｏｃｏｌｅｕｓ）及びスチゴネマ目（Ｓｔｉｇｏｎｅｍａｔａｌｅｓ）のフィツシェレラ属（Ｆｉｓｃｈｅｒｅｌｌａ）、スチゴネマ属（Ｓｔｉｇｏｎｅｍａ）、タルポフィラ属（Ｔｈａｌｐｏｐｈｉｌａ）、ハパロシフォン属（Ｈａｐａｌｏｓｉｐｈｏｎ）、ウエステレロプシス属（Ｗｅｓｔｉｅｌｌｏｐｓｉｓ）、ノストコプシス属（Ｎｏｓｔｏｃｈｏｐｓｉｓ）又はイデユアイミドリ属（Ｍａｓｔｉｇｏｃｌａｄｕｓ）、灰青藻綱（Ｇｌａｕｃｏｐｈｙｃｅａｅ）グラウコスフェラ目（Ｇｌａｕｃｏｓｐｈａｅｒａｌｅｓ）のスクヤペルタ属（Ｓｋｕｊａｐｅｌｔａ）、紅藻綱（Ｒｈｏｄｏｐｈｙｃｅａｅ）チノリモ目（Ｐｏｒｐｈｙｒｉｄｉａｌｅｓ）のポルフィリディウム属（Ｐｏｒｐｈｙｒｉｄｉｕｍ）、チノリモ属（Ｐｏｒｐｈｙｒｉｄｉｕｍ）、イデユコゴメ属（Ｃｙａｎｉｄｉａｃｅａｅ）、ロドソルス属（Ｒｈｏｄｏｓｏｒｕｓ）、ロデラ属（Ｒｈｏｄｅｌｌａ）又はディクソニエラ属（Ｄｉｘｏｎｉｅｌｌａ）、黄色鞭毛藻綱（Ｃｈｒｙｓｏｐｈｙｃｅａｅ）リゾクリシス目（Ｒｈｉｚｏｃｈｒｙｓｉｄａｌｅｓ）のラギニオン属（Ｌａｇｙｎｉｏｎ）及びヒカリモ目（Ｃｈｒｏｍｕｌｉｎａｌｅｓ）のクリソスフェラ属（Ｃｈｒｙｓｏｓｐｈａｅｒａ）、ヒカリモ属（Ｃｈｒｏｍｕｌｉｎａ）、ヘテロクロムリナ属（Ｈｅｔｅｒｏｃｈｒｏｍｕｌｉｎａ）、クリソコックス属（Ｃｈｒｙｓｏｃｏｃｃｕｓ）、コドモナス属（Ｃｏｄｏｍｏｎａｓ）、クリソカプサ属（Ｃｈｒｙｓｏｃａｐｓａ）又はミズオ属（Ｈｙｄｒｕｒｕｓ）及びオクロモナス目（Ｏｃｈｒｏｍｏｎａｄａｌｅｓ）のオクロモナス属（Ｏｃｈｒｏｍｏｎａｓ）０、ディディモクリシス属（Ｄｉｄｙｍｏｃｈｒｙｓｉｓ）、シンクリプタ属（Ｓｙｎｃｈｒｙｐｔａ）、ウログレナ属（Ｕｒｏｇｌｅｎａ）、ウログレノプシス属（Ｕｒｏｇｌｅｎｏｐｓｉｓ）、シノブリオン属（Ｄｉｎｏｂｒｙｏｎ）、ヒアロブリオン属（Ｈｙａｂｒｙｏｎ）、マロモナス属（Ｍａｌｌｏｍｏｎａｓ）、シヌラ属（Ｓｙｎｕｒａ）、クリソスフェラ属（Ｃｈｙｓｏｓｐｈａｅｒｅｌｌａ）又はパラフィソモナス属（Ｐａｒａｐｈｙｓｏｍｏｎａｓ）及びディクチオカ目（Ｄｉｃｔｙｏｃｈａｌｅｓ）のディクチオカ属（Ｄｉｃｔｙｏｃｈａ）、黄緑色藻綱（Ｘａｎｔｈｏｐｈｙｃｅａｅ）リゾクロリス目（Ｒｈｉｚｏｃｈｌｏｒｉｄａｌｅｓ）のスチピトコックス属（Ｓｔｉｐｉｔｏｃｏｃｃｕｓ）及びミショコックス目（Ｍｉｓｃｈｏｃｏｃｃａｌｅｓ）のボツリジオプシス属（Ｂｏｔｒｙｄｉｏｐｓｉｓ）、クロロクロステル属（Ｃｈｌｏｒｏｃｌｏｓｔｅｒ）、エリプソイドン属（Ｅ１ｌｉｐｓｏｉｄｏｎ）、モノドス属（Ｍｏｎｏｄｕｓ）、クロロボツリス属（Ｃｈｉｏｒｏｂｏｔｒｙｓ）、ミショコックス属（Ｍｉｓｃｈｏｃｏｃｃｕｓ）、カラシオプシス属（Ｃｈａｒａｃｉｏｐｓｉｓ）又はオフィオキチウム属（Ｏｐｈｉｏｃｙｔｉｕｍ）、渦鞭毛藻網（Ｄｉｎｏｐｈｙｃｅａｅ）ギムノジニウム目（Ｇｙｍｎｏｄｉｎｉａｌｅｓ）のアンフィジニウム属（Ａｍｐｈｉｄｉｎｉｕｍ）、ギムノジニウム属（Ｇｙｍｎｏｄｉｎｉｕｍ）又はギロジニウム属（Ｇｙｒｏｄｉｎｉｕｍ）及びペリジニウム目（Ｐｅｒｉｄｉｎｉａｌｅｓ）のへミジニウム属（Ｈｅｍｉｄｉｎｉｕｍ）、グレンジニウム属（Ｇｌｅｎｏｄｉｎｉｕｍ）、ジプロプサリス属（Ｄｉｐｌｏｐｓａｌｉｓ）、ペリジニウム属（Ｐｅｒｉｄｉｎｉｕｍ）、ケラチウム属（Ｃｅｒａｔｉｕｍ）、ヘテロカプサ属（Ｈｅｔｅｒｏｃａｐｓａ）又はプロトペリジニウム属（Ｐｒｏｔｏｐｅｒｉｄｉｎｉｕｍ）及びジノコックス目（Ｄｉｎｏｃｏｃｃａｌｅｓ）のチストジニウム属（Ｃｙｓｔｏｄｉｎｉｕｍ）又はテトラジニウム属（Ｔｅｔｒａｄｉｎｉｕｍ）及びプロロケントルム目（Ｐｒｏｒｏｃｅｎｔｒｌｅｓ）のプロロケントルム属（Ｐｒｏｒｏｃｅｎｔｒｕｍ）及びディノフィシス目（Ｄｉｎｏｐｈｙｓｉａｌｅｓ）のディノフィシス属（Ｄｉｎｏｐｈｙｓｉｓ）又はオウニトケルクス属（Ｏｒｎｉｔｈｏｃｅｒｃｕｓ）、褐色鞭毛藻綱（Ｃｒｙｐｔｏｐｈｙｃｅａｅ）クリプトモナス目（Ｃｒｙｐｔｏｍｏｎａｄａｌｅｓ）のクリプトモナス属（Ｃｒｙｐｔｏｍｏｎａｓ）、キロモナス属（Ｃｈｉｌｏｍｏｎａｓ）、へミセルミス属（Ｈｅｍｉｓｅｌｍｉｓ）又はロドモナス属（Ｒｈｏｄｏｍｏｎａｓ）、ラフィド藻綱（Ｒａｐｈｉｄｏｐｈｙｃｅａｅ）ラフィドモナス目（Ｒａｐｈｉｄｏｍｏｎａｄａｌｅｓ）のバクオラリア属（Ｖａｃｕｏｌａｒｉａ）、ゴニオストマム属（Ｇｏｎｙｏｓｔｏｍｕｍ）、メロトリキア属（Ｍｅｒｏｔｒｉｃｈｉａ）又はシャットネラ属（Ｃｈａｔｔｏｎｅｌｌａ）、ミドリムシ藻綱（Ｅｕｇｌｅｎｏｐｈｙｃｅａｅ）ミドリムシ目（Ｅｕｇｌｅｎａｌｅｓ）のミドリムシ属（Ｅｕｇｌｅｎａ）、レポシンクリス属（Ｌｅｐｏｃｉｎｃｌｉｓ）、ファクス属（Ｐｈａｃｕｓ）アスタシア属（Ａｓｔａｓｉａ）、キクリジオプシス属（Ｃｙｃｌｉｄｉｏｐｓｉｓ）、トラケロモナス属（Ｔｒａｃｈｅｌｏｍｏｎａｓ）、ジスチグマ属（Ｄｉｓｔｉｇｍａ）、ペラネマ属（Ｐｅｒａｎｅｍａ）又はアニソネマ属（Ａｎｉｓｏｎｅｍａ）及びコラキウム目（Ｃｏｌａｃｉａｌｅｓ）のコラキウム属（Ｃｏｌａｃｉｕｍ）及びユートレプティア目（Ｅｕｔｒｅｐｔｉａｌｅｓ）のユートレプティア属（Ｅｕｔｒｅｐｔｉａ）、緑藻綱（Ｃｈｌｏｒｏｐｈｙｃｅａｅ）オオヒゲマワリ目（Ｖｏｌｖｏｃａｌｅｓ）のへマトコックス属（Ｈａｅｍａｔｏｃｏｃｃｕｓ）、カルテリア属（Ｃａｒｔｅｒｉａ）、クロロゴニウム属（Ｃｈｌｏｒｏｇｏｎｉｕｍ）、ロボモナス属（Ｌｏｂｏｍｏｎａｓ）、クラミドモナス属（Ｃｈｌａｍｙｄｏｍｏｎａｓ）、デュナリエラ属（Ｄｕｎａｌｉｅｌｌａ）、ゴニウム属（Ｇｏｎｉｕｍ）、プレオドリナ属（Ｐｌｅｏｄｏｒｉｎａ）、オオヒゲマワリ属（Ｖｏｌｖｏｘ）、パンドリナ属（Ｐａｎｄｏｒｉｎａ）又はユウドリナ属（Ｅｕｄｏｒｉｎａ）及びヨツメモ目（Ｔｅｔｒａｓｐｏｒａｌｅｓ）のアステロコックス属（Ａｓｔｅｒｏｃｏｃｃｕｓ）、パルモジクチオン属（Ｐａｌｍｏｄｉｃｔｙｏｎ）、グロエオキスチス属（Ｇｌｏｅｏｃｙｓｔｉｓ）、アスケナシエラ属（Ａｓｋｅｎａｓｙｅｌｌａ）、スファエロキスチス属（Ｓｐｈａｅｒｏｃｙｓｔｉｓ）又はヨツメモ属（Ｔｅｔｒａｓｐｏｒａ）及びヒビミドロ目（Ｕｌｏｔｒｉｃｈａｌｅｓ）のスチココックス属（Ｓｔｉｃｈｏｃｏｃｃｕｓ）及びクロロコックム目（Ｃｈｌｏｒｏｃｏｃｃａｌｅｓ）のデスマトラクツム属（Ｄｅｓｍａｔｒａｃｔｕｍ）、ブラクテアコックス属（Ｂｒａｃｔｅａｃｏｃｃｕｓ）、クロロコックム属（Ｃｈｌｏｒｏｃｏｃｃｕｍ）、ゴレンキニア属（Ｇｏｌｅｎｋｉｎｉａ）、キルヒネリエラ属（Ｋｉｒｃｈｎｅｒｉｅｌｌａ）、アンキストロデスムス属（Ａｎｋｉｓｔｒｏｄｅｓｍｕｓ）、クロレラ属（Ｃｈｌｏｒｅｌｌａ）又はセネデスムス属（Ｓｃｅｎｅｄｅｓｍｕｓ）及びホシミドロ目（Ｚｙｇｎｅｍａｔａｌｅｓ）のネトリウム属（Ｎｅｔｒｉｕｍ）、ペニウム属（Ｐｅｎｉｕｍ）、ミカヅキモ属（Ｃｌｏｓｔｅｒｉｕｍ）、コウガイチリモ属（Ｐｌｅｕｒｏｔａｅｎｉｕｍ）又はツヅミモ属（Ｃｏｓｍａｒｉｕｍ）、プラシノ藻綱（Ｐｒａｓｉｎｏｐｈｙｃｅａｅ）マミエラ目（Ｍａｍｉｅｌｌａｌｅｓ）のプラシノコックス属（Ｐｒａｓｉｎｏｃｏｃｃｕｓ）又はミクロモナス属（Ｍｉｃｒｏｍｏｎａｓ）及びプセウドスコウルフィエルディア目（Ｐｓｅｕｄｏｓｃｏｕｒｆｉｅｌｄｉａｌｅｓ）のネフロセルミス属（Ｎｅｐｈｒｏｓｅｌｍｉｓ）及びピラミモナス目（Ｐｙｒａｍｉｍｏｎａｄａｌｅｓ）のプテロスペルマ属（Ｐｔｅｒｏｓｐｅｒｍａ）、ハロスファエラ属（Ｈａｌｏｓｐｈａｅｒａ）又はピラミモナス属（Ｐｙｒａｍｉｍｏｎａｓ）及びクロロデンドロン目（Ｃｈｌｏｒｏｄｅｎｄｒａｌｅｓ）のテトラセルミス属（Ｔｅｔｒａｓｅｌｍｉｓ）、珪藻綱（Ｂａｃｉｌｌａｒｉｏｐｈｙｃｅａｅ）円心目（Ｃｅｎｔｒａｌｅｓ）のキクロテラ属（Ｃｙｃｌｏｔｅｌｌａ）、デトニューラ属（Ｄｅｔｏｎｕｌａ）、ミニディスクス属（Ｍｉｎｉｄｉｓｃｕｓ）、タラシオシーラ属（Ｔｈａｌａｓｓｉｏｓｉｒａ）又はキートケロス属（Ｃｈａｅｔｏｃｅｒｏｓ）及び羽状目（Ｐｅｎｎａｌｅｓ）のディメレグラムマ属（Ｄｉｍｅｒｅｇｒａｍｍａ）、ナビキュラ属（Ｎａｖｉｃｕｌａ）又はニッチア属（Ｎｏｔｚｓｃｈｉａ）、真正眼点藻綱（Ｅｕｓｔｉｇｍａｔｏｐｈｙｃｅａｅ）ユースティグマトス目（Ｅｕｓｔｉｇｍａｔａｌｅｓ）のナンノクロロプシス属（Ｎａｎｎｏｃｈｌｏｒｏｐｓｉｓ）、ハプト藻綱（Ｈａｐｔｏｐｈｙｃｅａｅ）イソクリシス目（Ｉｓｏｃｈｒｙｓｉｄａｌｅｓ）のプリュウロクリシス属（Ｐｌｅｕｒｏｃｈｒｉｓｉｓ）、エミリアニア属（Ｅｍｉｌｉｎｉａｎｉａ）、プレウロクリシス属（Ｐｌｅｕｒｏｃｈｒｙｓｉｓ）、ゲフィロカプサ属（Ｇｅｐｈｙｒｏｃａｐｓａ）、イソクリシス属（Ｉｓｏｃｈｒｙｓｉｓ）、クリソティラ属（Ｃｈｒｙｓｏｔｙｌａ）、ヒメノモナス属（Ｈｙｍｅｎｏｍｏｎａｓ）又はオクロスファエラ属（Ｏｃｈｒｏｓｐｈａｅｒａ）及びプリムネシウム目（Ｐｒｙｍｎｅｓｉｄａｌｅｓ）のプリムネシウム属（Ｐｒｙｍｎｅｓｉｕｍ）、クリソクロムリナ属（Ｃｈｙｓｏｃｈｒｏｍｕｌｉｎａ）又はフェオキィスティス属（Ｐｈａｅｏｃｙｓｔｉｓ）及び円石藻目（Ｃｏｃｃｏｓｐｈａｅｒａｌｅｓ）のカリプトロスファエラ属（Ｃａｌｙｐｔｒｏｓｐｈａｅｒａ）、ブラルードスファエラ属（Ｂｒａａｒｕｄｓｐｈａｅｒａ）、アノプロソレニア属（Ａｎｏｐｌｏｓｏｌｅｎｉａ）、カルキオソレニア属（Ｃａｌｃｉｏｓｏｌｅｎｉａ）、カルキディスクス属（Ｃａｌｃｉｄｉｃｕｓ）、コッコリトゥス属（Ｃｏｃｃｏｌｉｔｈｕｓ）、オオリトトゥス属（Ｏｏｌｉｔｈｏｔｕｓ）、ウンビリコスファエラ属（Ｕｍｂｉｌｉｃｏｓｐｈａｅｒａ）、へリコスファエラ属（Ｈｅｌｉｃｏｓｐｈａｅｒａ）、ポンスファエラ属（Ｐｏｎｔｏｓｐｈａｅｒａ）、アカントイカ属（Ａｃａｎｔｈｏｉｃａ）、アルギロスファエラ属（Ａｌｇｉｒｏｓｐｈａｅｒａ）、ディスコスファエラ属（Ｄｉｓｃｏｓｐｈａｅｒａ）、ラブドスファエラ属（Ｒｈａｂｄｏｓｐｈａｅｒａ）、カネオスファエラ属（Ｃａｎｅｏｓｐｈａｅｒａ）、コロノスファエラ属（Ｃｏｒｏｎｏｓｐｈａｅｒａ）、シラコスファエラ属（Ｓｙｒａｃｏｓｐｈａｅｒａ）、ドイツランディア属（Ｄｅｕｔｓｃｈｌａｎｄｉａ）、ウンベロスフェラ属（Ｕｍｂｅｌｌｏｓｐｈａｅｒａ）、ミカエルサルシア属（Ｍｉｃｈａｅｌｓａｒｓｉａ）又はオフィアスター属（Ｏｐｈｉａｓｔｅｒ）及びパブロバ目（Ｐａｖｌｏｖａｌｅｓ）のパブロバ属（Ｐａｖｌｏｖａ）、ユーグレナ藻綱（Ｅｕｇｌｅｎｏｐｈｙｃｅａｅ）のユーグレナ目（Ｅｕｇｌｅｎａｌｅｓ）ユーグレナ属（Ｅｕｇｌｅｎａ）のいずれかに属する微細藻類を少なくとも一種類を用いるものである。
【００１３】
また、前記微細藻類において、シネコキスチス属に属する藻類としてはＳ．ａｑｕａｔｉｌｉｓ、Ｓ．ｐｅｖａｌｅｋｉｉ及びＳ．ｐｒｉｍｉｇｅｎｉａを例示することができ、シネココックス属に属する藻類としてはＳ．ｍａｊｏｒ、Ｓ．ａｅｒｕｇｉｎｏｓｕｓ及びＳ．ａｍｐｈｉｇｒａｎｕｌａｔｕｓを例示することができ、ダクチロコッコプシス属に属する藻類としてはＤ．ｒｈａｐｈｉｄｉｏｉｄｅｓ及びＤ．ａｃｉｃｕｌａｒｉｓを例示することができ、テトラペジア属に属する藻類としてはＴ．ｒｅｉｎｓｃｈｉａｎａを例示することができ、クロオコックス属に属する藻類としてはＣ．  ｔｕｇｉｄｕｓ、Ｃ．  ｖａｒｉｕｓ及びＣ．  Ｉｉｍｎｅｔｉｃｕｓを例示することができ、ミクロキスチス属に属する藻類としてはＭ．ｍａｒｇｉｎａｔａ、Ｍ．ａｅｒｕｇｉｎｏｓａ及びＭ．ｐｕｌｖｅｒｅａを例示することができ、アファノカプサ属に属する藻類としてはＡ．ｒｉｖｕｌａｒｉｓ、Ａ．ｐｕｌｃｈｒａ及びＡ．ｔｈｅｒｍａｌｉｓを例示することができ、グロエオカプサ属に属する藻類としてはＧ．ｐｕｎｃｔａｔａ、Ｇ．ｍｏｎｔａｎａ及びＧ．ｄｅｒｍｏｃｈｒｏａを例示することができ、アファノテーケ属に属する藻類としてはＡ．ｓｔａｇｎｉｎａ、Ａ．ｓａｃｒｕｍ、Ａ．ｂｕｌｌｏｓａ及びＡ．ｍｉｃｒｏｓｐｏｒａを例示することができ、ラブドデルマ属に属する藻類としてはＲ．ｌｉｎｅａｒｅを例示することができ、グロエオケーテ属に属する藻類としてはＧ．ｐａｌｅａ及びＧ．ｒｕｐｅｓｔｒｉｓを例示することができ、プソイドホロペジア属に属する藻類としてはＰ．ｃｏｎｖｏｌｕｔａを例示することができ、メリスモペジウム属に属する藻類としてはＭ．ｔｅｎｕｉｓｓｉｕｍ、Ｍ．ｇｌａｕｃｕｍ及びＭ．ｅｌｅｇａｎｓを例示することができ、ユウカプシス属に属する藻類としてはＥ．ａｌｐｉｎａを例示することができ、ゴンフェスフエリア属に属する藻類としてはＧ．ｌａｃｕｓｔｒｉｓを例示することができ、コエロスフェリウム属に属する藻類としてはＣ．ｄｕｂｉｕｍを例示することができ、アイノゴノメ属に属する藻類としてはＭ．ｅｌｅｇａｎｓ及びＭ．ｇｌａｕｃａを例示することができ、カマエシフォン属に属する藻類としてはＣ．ｉｎｃｒｕｓｔａｎｓ及びＣ．ｃｙｌｉｎｄｒｉｃｕｓを例示することができ、ミクソサルシナ属に属する藻類としてはＭ．ｃｈｒｏｏｃｏｃｃｏｉｄｅｓ及びＭ．ｇｅｌａｔｉｎｏｓａを例示することができ、ヒドロコックス属に属する藻類としてはＨ．ｒｉｖｕｌａｒｉｓを例示することができ、クセノコックス属に属する藻類としてはＸ．ａｃｅｒｖａｔｕｓ、Ｘ．ｗｉｌｌｅｉ及びＸ．ａｌｐｉｎｕｓを例示することができ、プレウロカプサ属に属する藻類としてはＰ．ｆｌｕｖｉａｔｉｌｉｓを例示することができ、ホモエオスリックス属に属する藻類としてはＨ．ｊｕｌｉａｎａ、Ｈ．ｔｈｅｒｍａｌｉｓ及びＨ．ｈａｎｓｇｉｒｇｉｉを例示することができ、ジコスリックス属に属する藻類としてはＤ．ｇｙｐｓｏｐｈｉｌａを例示することができ、カロスリックス属に属する藻類としてはＣ．ｂｒｅｖｉｓｓｉｍａ、Ｃ．ｍａｒｃｈｉｃａ及びＣ．ｐａｒｉｅｔｉｎａを例示することができ、グロエオトリキア属に属する藻類としてはＧ．ｐｉｓｕｍ、Ｇ．ｎａｔａｎｓ及びＧ．ｅｃｈｉｎｕｌａｔａを例示することができ、ヒゲモ属に属する藻類としてはＲ．ｂｅｃｃａｒｉａｎａ、Ｒ．ｇｌｏｂｉｃｅｐｓ及びＲ．ｓｐｈａｅｒｉａを例示することができ、イサクチス属に属する藻類としてはＩ．ｎｉｐｐｏｎｉｃａを例示することができ、プレクトネマ属に属する藻類としてはＰ．ｎｏｓｔｏｃｏｒｕｍ及びＰ．ｎｏｔａｔｕｍを例示することができ、トリポスリックス属に属する藻類としてはＴ．ｔｅｎｕｉｓ、Ｔ．ｌａｎａｔａ及びＴ．ｄｉｓｔｏｒｔａを例示することができ、スキトネマ属に属する藻類としてはＳ．ｃｒｉｓｐｕｍ、Ｓ．ｏｃｅｌｌａｔｕｍ及びＳ．ｍｉｒａｂｉｌｅを例示することができ、スキトネマトプシス属に属する藻類としてはＳ．ａｍｂｉｇｕａを例示することができ、ヒドロコリーネ属に属する藻類としてはＨ．ｓｐｏｎｇｉｏｓａを例示することができ、ミクロケト属に属する藻類としてはＭ．ｂｕｌｂｏｓａ、Ｍ．ｔｅｎｅｒａ及びＭ．ｔｈｅｒｍａｌｉｓを例示することができ、ネンジュモ属に属する藻類としてはＮ．ｆｌａｇｅｌｌｉｆｏｒｍｅ、Ｎ．ｃｏｍｍｕｎｅ、Ｎ．ｌｉｎｃｋｉａ、Ｎ．ｍｕｓｃｏｒｕｍ及びＮ．ｖｅｒｒｕｃｏｓｕｍを例示することができ、アファニゾメノン属に属する藻類としてはＡ．ｆｌｏｓ−ａｑｕａｅを例示することができ、アナベナ属に属する藻類としてはＡ．ｖａｒｉａｂｉｌｉｓ、Ａ．ｓｐｉｒｏｉｄｅｓ及びＡ．ｆｌｏｓ−ａｑｕａｅを例示することができ、アウロシラ属に属する藻類としてはＡ．ｐｒｏｌｉｆｉｃａ、Ａ．ｉｍｐｌｅｘａ及びＡ．ｍａｊｏｒを例示することができ、ノジュラリア属に属する藻類としてはＮ．ｓｐｕｍｉｇｅｎａ及びＮ．ｈａｒｖｅｙａｎａを例示することができ、アナベノプシス属に属する藻類としてはＡ．ｒａｃｉｂｏｒｓｋｉｉ及びＡ．ａｒｎｏｌｄｉｉを例示することができ、キリンドロスペルマム属に属する藻類としてはＣ．ｍａｊｕｓ、Ｃ．ｓｔａｇｎａｌｅ及びＣ．ｌｉｃｈｅｎｉｆｏｒｍｅを例示することができ、ボルジア属に属する藻類としてはＢ．ｔｒｉｌｏｃｕｌａｒｉｓを例示することができ、スピルリナ属に属する藻類としてはＳ．ｐｌａｔｅｎｓｉｓ、Ｓ．ｍａｘｉｍａ、Ｓ．ｓｕｂｓａｌｓａ及びＳ．ｍａｊｏｒを例示することができ、ユレモ属に属する藻類としてはＯ．ｎｅｇｌｅｃｔａ、Ｏ．ｃｈａｌｙｂｅａ、Ｏ．ｃｕｒｖｉｃｅｐｓ、Ｏ．ｓａｎｃｔａ、Ｏ．ｐｒｉｎｃｅｐｓ及びＯ．ｌｉｍｏｓａを例示することができ、フォルミジウム属に属する藻類としてはＰ．ｌａｍｉｎｏｓｕｍ、Ｐ．ｆｏｖｅｏｌａｔｕｍ及びＰ．ｍｏｌｌｅを例示することができ、リングビア属に属する藻類としてはＬ．ｍｕｓｃｉｃｏｌａ、Ｌ．ａｅｒｕｇｉｎｅｏ−ｃｏｅｒｕｌｅａ及びＬ．ａｅｓｔｕａｒｉｉを例示することができ、シンプロカ属に属する藻類としてはＳ．ｔｈｅｒｍａｌｉｓ、Ｓ．ｍｕｓｃｏｒｕｍ及びＳ．ｍｕｒａｌｉｓを例示することができ、ムラサキクダモ属に属する藻類としてはＰ．ｎｏｔａｒｉｓｉｉを例示することができ、ダシグロエア属に属する藻類としてはＤ．ａｍｏｒｐｈａを例示することができ、シゾスリックス属に属する藻類としてはＳ．ｈｅｕｆｌｅｒｉ、Ｓ．ｍｕｅｌｌｅｒｉ及びＳ．ｐｅｎｉｃｉｌｌａｔａを例示することができ、ミクロコレウス属に属する藻類としてはＭ．ｖａｇｉｎａｔｕｓ、Ｍ．ｓｏｃｉａｔｕｓ及びＭ．ｓｔｅｅｎｓｔｒｕｐｐｉを例示することができ、フィツシェレラ属に属する藻類としてはＦ．ｔｈｅｒｍａｌｉｓ、Ｆ．ａｍｂｉｇｕａ及びＦ．ｍａｊｏｒを例示することができ、スチゴネマ属に属する藻類としてはＳ．ｈｏｒｍｏｉｄｅａｓ、Ｓ．ｏｃｅｌｌａｔｕｍ及びＳ．ｍｉｎｕｔｕｍを例示することができ、タルポフィラ属に属する藻類としてはＴ．ｃａｌｄａｒｉａを例示することができ、ハパロシフォン属に属する藻類としてはＨ．ｈｉｂｅｒｎｉｃｕｓ、Ｈ．ｉｎｔｒｉｃａｔｕｓ及びＨ．ｗｅｌｗｉｔｓｃｈｉｉを例示することができ、ウエステレロプシス属に属する藻類としてはＷ．ｐｒｏｌｉｆｉｃａを例示することができ、ノストコプシス属に属する藻類としてはＮ．ｗｉｃｈｍａｎｎｉｉを例示することができ、イデユアイミドリ属に属する藻類としてはＭ．ｌａｍｉｎｏｓｕｓを例示することができ、スクヤペルタ属に属する藻類としてはＳ．ｗｉｔｔｒｏｃｋｉａｎａ及びＳ．ｎｏｓｔｏｃｈｉｎｅａｒｕｍを例示することができ、チノリモ属に属する藻類としてはＰ．ｐｕｒｕｐｕｒｅｕｍ、Ｐ．ｍａｒｉｎｕｍ、Ｐ．ａｅｒｕｇｉｎｅｕｍ及びＰ．ｓｏｒｄｉｕｍを例示することができ、イデユコゴメ属に属する藻類としてはＣ．ｃａｌｄａｒｉｕｍを例示することができ、ロドソルス属に属する藻類としてはＲ．ｍａｒｉｎｕｓ、Ｒ．ｍａｃｕｌａｔａ及びＲ．ｖｉｏｌａｃｅａを例示することができ、ロデラ属に属する藻類としてはＲ．ｖｉｏｌａｃｅａ、Ｒ．ａｎｕｌｏｍａｒｇａｒｉｔａ及びＲ．ｍａｃｕｌａｔａを例示することができ、ディクソニエラ属に属する藻類としてはＤ．ｇｒｉｓｅａを例示することができ、ラギニオン属に属する藻類としてはＬ．ｓｃｈｅｒｆｆｅｌｉｉ、Ｌ．ｍａｃｒｏｔｒａｃｈｅｌｕｍ及びＬ．ａｍｐｕｌｌａｃｅｕｍを例示することができ、クリンスフェラ属に属する藻類としてはＣ．ｎｉｔｅｎｓを例示することができ、ヒカリモ属に属する藻類としてはＣ．ｏｖａｌｉｓ、Ｃ．ｎｅｂｕｌｏｓａ及びＣ．ｒｏｓａｎｏｆｆｉｉを例示することができ、ヘテロクロムリナ属に属する藻類としてはＨ．ｔｅｒｍｏを例示することができ、クリソコックス属に属する藻類としてはＣ．ｒｕｆｅｓｃｅｎｓを例示することができ、コドモナス属に属する藻類としてはＣ．ａｎｎｕｌａｔａを例示することができ、クリソカプサ属に属する藻類としてはＣ．ｐｌａｎｃｔｏｎｉｃａを例示することができ、ミズオ属に属する藻類としてはＨ．ｆｏｅｔｉｄｕｓを例示することができ、オクロモナス属に属する藻類としてはＯ．ｍｕｔａｂｉｌｉｓ、Ｏ．ｓｍｉｔｈｉｉ及びＯ．ｄｉａｄｅｍｉｆｅｒａを例示することができ、ディディモクリシス属に属する藻類としてはＤ．ｐａｒａｄｏｘａを例示することができ、シンクリプタ属に属する藻類としてはＳ．ｖｏｌｖｏｘを例示することができ、ウログレナ属に属する藻類としてはＵ．ｖｏｌｖｏｘを例示することができ、ウログレノプシス属に属する藻類としてはＵ．ａｍｅｒｉｃａｎａを例示することができ、シノブリオン属に属する藻類としてはＤ．ｄｉｖｅｒｇｅｎｓ、Ｄ．ｓｅｒｔｕｒａｌｉａ及びＤ．ｓｏｃｉａｌｅを例示することができ、ヒアロブリオン属に属する藻類としてはＨ．ｂｏｒｇｅｉを例示することができ、マロモナス属に属する藻類としてはＭ．ｔｏｎｓｕｒａｔａ、Ｍ．ｐａｐｉｌｌｏｓａ及びＭ．ｆａｓｔｉｇａｔａを例示することができ、シヌラ属に属する藻類としてはＳ．ｕｖｅｌｌａ、Ｓ．ｓｐｉｎｏｓａ及びＳ．ｐｅｔｅｒｓｅｎｉｉを例示することができ、クリソスフェラ属に属する藻類としてはＣ．ｍｕｌｔｉｓｐｉｎａ及びＣ．ｂｒｅｖｉｓｐｉｎａを例示することができ、パラフィソモナス属に属する藻類としてはＰ．ｖｅｓｔｉｔａを例示することができ、ディクチオカ属に属する藻類としてはＤ．ｆｉｂｕｌａ及びＤ．ｐｓｅｕｄｏｆｉｂｕｌａを例示することができ、スチピトコックス属に属する藻類としてはＳ．ｕｒｃｅｏｌａｔｕｓを例示することができ、ボツリジオプシス属に属する藻類としてはＢ．ａｒｈｉｚａを例示することができ、クロロクロステル属に属する藻類としてはＣ．ｔｅｒｒｅｓｔｒｉｓ及びＣ．ｉｎａｅｑｕａｌｉｓを例示することができ、エリプソイドン属に属する藻類としてはＥ．ｏｏｃｙｓｔｏｉｄｅｓを例示することができ、モノドス属に属する藻類としてはＭ．ｓｕｂｔｅｒｒａｎｅｕｓ及びＭ．ｄａｃｔｙｌｏｃｏｃｃｏｉｄｅｓを例示することができ、クロロボツリス属に属する藻類としてはＣ．ｒｅｇｕｌａｒｉｓを例示することができ、ミショコックス属に属する藻類としてはＭ．ｃｏｎｆｅｒｖｉｃｏｌａを例示することができ、カラシオプシス属に属する藻類としてはＣ．ｍｉｎｉｍａを例示することができ、オフィオキチウム属に属する藻類としてはＯ．ｃｏｃｈｌｅａｒｅ、Ｏ．ｍａｊｕｓ及びＯ．ａｒｂｕｓｃｕｌｕｍを例示することができ、アンフィジニウム属に属する藻類としてはＡ．ａｋａｎｅｎｓｉｓ、Ａ．ｃａｒｔｅｒａｅ及びＡ．ｃｒａｓｓｕｍを例示することができ、ギムノジニウム属に属する藻類としてはＧ．ａｅｒｕｇｉｎｏｓｕｍ、Ｇ．ｃａｒｉｎａｔｕｍ及びＧ．ｔｅｎｕｉｓｓｉｍｕｍを例示することができ、ギロジニウム属に属する藻類としてはＧ．ｄｏｍｉｎａｎｓ、Ｇ．ｆａｌｃａｔｕｍ及びＧ．ｓｐｉｒａｌｅを例示することができ、へミジニウム属に属する藻類としてはＨ．ｎａｓｕｔｕｍを例示することができ、グレノジニウム属に属する藻類としてはＧ．ｃｉｎｃｔｕｍ、Ｇ．ｄｉｎｏｂｒｙｏｎｉｓ及びＧ．ｇｙｍｎｏｄｉｎｉｕｍを例示することができ、ジプロプサリス属に属する藻類としてはＤ．ａｃｕｔａを例示することができ、ペリジニウム属に属する藻類としてはＰ．ｂｉｐｅｓ、Ｐ．ｉｎｃｏｎｓｐｉｃｕｍ及びＰ．ｔａｂｕｌａｔｕｍを例示することができ、ケラチウム属に属する藻類としてはＣ．ｃｏｒｎｕｔｕｍ及びＣ．ｈｉｒｕｎｄｉｎｅｌｌａを例示することができ、ヘテロカプサ属に属する藻類としてはＨ．ｎｉｅｉ、Ｈ．ｒｏｔｕｎｄａｔａ及びＨ．ｔｒｉｑｕｅｔｒａを例示することができ、プロトペリジニウム属に属する藻類としてはＰ．ｍａｒｕｋａｗａｉ、Ｐ．ｏｂｌｏｎｇｕｍ及びＰ．ｓｔｅｉｎｉｉを例示することができ、チストジニウム属に属する藻類としてはＣ．ｉｎｅｒｉｓ及びＣ．ｓｔｅｉｓｉｉを例示することができ、テトラジニウム属に属する藻類としてはＴ．ｊａｖａｎｉｃｕｍを例示することができ、プロロケントルム属に属する藻類としてはＰ．ｂａｌｔｉｃａ、Ｐ．ｍｉｃａｎｓ及びＰ．ｍｉｎｉｍｕｍを例示することができ、ディノフィシス属に属する藻類としてはＤ．ａｃｕｍｉｎａｔａ、Ｄ．ｃａｕｄａｔａ及びＤ．ｆｏｒｔｉｉを例示することができ、オウニトケルクス属に属する藻類としてはＯ．ｍａｇｎｉｆｉｃｕｓ、Ｏ．ｑｕａｄｒａｔｕｓ及びＯ．ｓｔｅｉｎｉｉを例示することができ、クリプトモナス属に属する藻類としてはＣ．ｅｒｏｓａ、Ｃ．ｏｖａｔａ及びＣ．ｃｏｍｐｒｅｓｓａを例示することができ、キロモナス属に属する藻類としてはＣ．ｐａｒａｍｅｃｉｕｍを例示することができ、ヘミセルミス属に属する藻類としてはＨ．ｖｉｒｅｓｃｅｎｓ及びＨ．ｂｒｕｎｎｅｓｃｅｎｓを例示することができ、ロドモナス属に属する藻類としてはＲ．ｃｈｒｙｓｏｉｄｅａ、Ｒ．ｓａｌｉｎａ及びＲ．ｄｕｐｌｅｘを例示することができ、バクオラリア属に属する藻類としてはＶ．ｖｉｒｅｓｃｅｎｓを例示することができ、ゴニオストマム属に属する藻類としてはＧ．ｓｅｍｅｎ及びＧ．ｄｅｐｒｅｓｓｕｍを例示することができ、メロトリキア属に属する藻類としてはＭ．ｃａｐｉｔａｔａを例示することができ、シャットネラ属に属する藻類としてはＣ．ａｎｔｉｑｕａ、Ｃ．ｍａｒｉｎａ及びＣ．ｇｌｏｂｏｓａを例示することができ、ミドリムシ属に属する藻類としてはＥ．ｇｒａｃｉｌｉｓ、Ｅ．ｇｉｇａｓ及びＥ．ｍｕｔａｂｉｌｉｓを例示することができ、レポシンクリス属に属する藻類としてはＬ．ｆｕｓｉｆｏｒｍｉｓ、Ｌ．ｓｔｅｉｎｉｉ及びＬ．ｔｅｒｅｓを例示することができ、ファクス属に属する藻類としてはＰ．ｌｏｎｇｉｃａｕｄａ、Ｐ．ｐｙｒｕｍ及びＰ．ｕｎｄｕｌａｔｕｓを例示することができ、アスタシア属に属する藻類としてはＡ．ｃａｐｔｉｖａ、Ａ．ｌａｇｅｎｕｌａ及びＡ．ｍａｒｇａｒｉｔｉｆｅｒａを例示することができ、キクリジオプシス属に属する藻類としてはＣ．ａｃｕｓを例示することができ、トラケロモナス属に属する藻類としてはＴ．ａｒｍａｔａ、Ｔ．ｇｉｂｂｅｒｏｓａ及びＴ．ｈｉｓｐｉｄａを例示することができ、ジスチグマ属に属する藻類としてはＤ．ｐｒｏｔｅｕｓを例示することができ、ペラネマ属に属する藻類としてはＰ．ｇｒａｎｕｌｉｆｅｒａ及びＰ．ｔｒｉｃｈｏｐｈｏｒｕｍを例示することができ、アニソネマ属に属する藻類としてはＡ．ａｃｉｎｕｓを例示することができ、コラキウム属に属する藻類としてはＣ．ａｒｂｕｓｃｕｌａを例示することができ、ユートレプティア属に属する藻類としてはＥ．ｖｉｒｉｄｉｓ、Ｅ．ｐｅｒｔｙｉ及びＥ．ｇｌｏｂｕｌｉｆｅｒａを例示することができ、ヘマトコックス属に属する藻類としてはＨ．ｐｌｕｖｉａｌｉｓ及びＨ．ｌａｃｕｓｔｒｉｓを例示することができ、カルテリア属に属する藻類としてはＣ．ｋｌｅｂｓｉｉ及びＣ．ｍｉｗａｅを例示することができ、クロロゴニウム属に属する藻類としてはＣ．ｅｌｏｎｇａｔｕｍ及びＣ．ｅｕｃｈｌｏｒｕｍを例示することができ、ロボモナス属に属する藻類としてはＬ．ｒｏｓｔｒａｔａを例示することができ、クラミドモナス属に属する藻類としてはＣ．ｎｉｖａｌｉｓ、Ｃ．ａｎｇｕｌｏｓａ及びＣ．ｐｅｒｔｕｓａを例示することができ、デュナリエラ属に属する藻類としてはＤ．ｓａｌｉｎａ及びＤ．ｔｅｒｔｉｏｌｅｃｔａを例示することができ、ゴニウム属に属する藻類としてはＧ．ｐｅｃｔｏｒａｌｅ及びＧ．ｆｏｒｍｏｓｕｍを例示することができ、プレオドリナ属に属する藻類としてはＰ．ｃａｌｉｆｏｒｎｉｃａを例示することができ、オオヒゲマワリ属に属する藻類としてはＶ．ｇｌｏｂａｔｏｒ、Ｖ．ｃａｒｔｅｒｉ及びＶ．ｔｅｒｔｉｕｓを例示することができ、パンドリナ属に属する藻類としてはＰ．ｍｏｒｕｍを例示することができ、ユウドリナ属に属する藻類としてはＥ．ｕｎｉｃｏｃｃａ及びＥ．ｅｌｅｇａｎｓを例示することができ、アステロコックス属に属する藻類としてはＡ．ｓｕｐｅｒｂｕｓを例示することができ、パルモジクチオン属に属する藻類としてはＰ．ｖｉｒｉｄｅ及びＰ．ｖａｒｉｕｍを例示することができ、グロエオキスチス属に属する藻類としてはＧ．ｇｉｇａｓ及びＧ．ａｍｐｌａを例示することができ、アスケナシエラ属に属する藻類としてはＡ．ｃｈｌａｍｙｄｏｐｕｓを例示することができ、スファエロキスチス属に属する藻類としてはＳ．ｓｃｈｒｏｅｔｅｒｉを例示することができ、ヨツメモ属に属する藻類としてはＴ．ｇａｌａｔｉｎｏｓａ及びＴ．ｌｕｂｒｉｃａを例示することができ、スチココックス属に属する藻類としてはＳ．ｂａｃｉｌｌａｒｉｓを例示することができ、デスマトラクツム属に属する藻類としてはＤ．ｂｉｐｙｒａｍｉｄａｔｕｍ及びＤ．ｅｌｏｎｇａｔｕｍを例示することができ、ブラクテアコックス属に属する藻類としてはＢ．ｉｒｒｅｇｕｌａｒｉｓを例示することができ、クロロコックム属に属する藻類としてはＣ．ｅｃｈｉｎｏｚｙｇｏｔｕｍを例示することができ、ゴレンキニア属に属する藻類としてはＧ．ｒａｄｉａｔａ及びＧ．ｐａｕｃｉｓｐｉｎａを例示することができ、キルヒネリエラ属に属する藻類としてはＫ．ｌｕｎａｒｉｓ、Ｋ．ｏｂｅｓａ及びＫ．ａｃｕｍｉｎａｔａを例示することができ、アンキストロデスムス属に属する藻類としてはＡ．ｆａｌｃａｔｕｓ、Ａ．ｇｒａｃｉｌｉｓ及びＡ．ｂｉｂｒａｉａｎｕｓを例示することができ、クロレラ属に属する藻類としてはＣ．ｐｖｒｅｎｏｉｄｏｓａ、Ｃ．ｖｕｌｇａｒｉｓ、Ｃ．ｓａｃｃｈａｒｏｐｈｉｌａ及びＣ．ｅｌｌｉｐｓｏｉｄｅａを例示することができ、セネデスムス属に属する藻類としてはＳ．ｆｕｓｃａ、Ｓ．ａｃｕｔｕｓ、Ｓ．ａｃｕｍｉｎａｔｕｓ及びＳ．ｅｃｏｒｎｉｓを例示することができ、ネトリウム属に属する藻類としてはＮ．ｄｉｇｉｔｕｓ、Ｎ．ｉｎｔｅｒｒｕｐｔｕｍ及びＮ．ｏｂｌｏｎｇｕｍを例示することができ、ペニウム属に属する藻類としてはＰ．ｓｐｉｒｏｓｔｒｉｌａｔｕｍ、Ｐ．ｃｙｌｉｎｄｒｕｓ及びＰ．ｓｕｂｓｔｒｉａｔｕｍを例示することができ、ミカヅキモ属に属する藻類としてはＣ．ｅｈｒｅｎｂｅｒｇｉｉ、Ｃ．ｇｒａｃｉｌｅ及びＣ．ｖｅｎｕｓｚを例示することができ、コウガイチリモ属に属する藻類としてはＰ．ｔｒａｂｅｃｕｌａ、Ｐ．ｅｘｃｅｌｓｕｍ及びＰ．ｅｈｒｅｎｂｅｒｇｉｉを例示することができ、ツヅミモ属に属する藻類としてはＣ．ｃｕｃｕｒｂｉｔａ、Ｃ．ａｕｓｔｒａｌｅ及びＣ．ｓｔｒｉｏｌａｔｕｍを例示することができ、プラシノコックス属に属する藻類としてはＰ．ｃａｐｓｕｌａｔｕｓを例示することができ、ミクロモナス属に属する藻類としてはＭ．ｐｕｓｉｌｌａを例示することができ、ネフロセルミス属に属する藻類としてはＮ．ｐｙｒｉｆｏｒｍｉｓ、Ｎ．ｒｏｔｕｎｄａ及びＮ．ａｓｔｉｇｍａｔｉｃａを例示することができ、プテロスペルマ属に属する藻類としてはＰ．ｃｒｉｓｔａｔｕｍを例示することができ、ハロスファエラ属に属する藻類としてはＨ．ｖｉｒｉｄｉｓを例示することができ、ピラミモナス属に属する藻類としてはＰ．ｇｒｏｓｓｉｉ、Ｐ．ｌｕｎａｔａ及びＰ．ｐａｒｋｅａｅを例示することができ、テトラセルミス属に属する藻類としてはＴ．ｖｅｒｒｕｃｏｓａ、Ｔ．ｓｔｒｉａｔａ及びＴ．ｈａｚｅｎｉｉを例示することができ、キクロテラ属に属する藻類としてはＣ．ｃｒｙｐｔｉｃａ、Ｃ．ｍｅｎｅｇｈｉｎｉａｎａ及びＣ．ｓｔｒｉａｔａを例示することができ、デトニューラ属に属する藻類としてはＤ．ｐｕｍｉｌａを例示することができ、ミニディスクス属に属する藻類としてはＭ．ｃｈｉｌｅｎｓｉｓ、Ｍ．ｃｏｍｉｃｕｓ及びＭ．ｔｒｉｏｃｕｌａｔｕｓを例示することができ、タラシオシーラ属に属する藻類としてはＴ．ａｌｌｅｎｉｉ、Ｔ．ｅｃｃｅｎｔｒｉｃａ及びＴ．ｐｕｎｃｔｉｇｅｒａを例示することができ、キートケロス属に属する藻類としてはＣ．ａｔｌａｎｔｉｃｕｍ、Ｃ．ｄａｎｉｃｕｍ及びＣ．ｄｅｂｉｌｅを例示することができ、ディメレグラムマ属に属する藻類としてはＤ．ｍｉｎｕｓを例示することができ、ナビキュラ属に属する藻類としてはＮ．ｂｒｉｔａｎｎｉｃａ、Ｎ．ｆｕｃｉｃｏｌａ及びＮ．ｓｃｈｏｎｋｅｎｉｉを例示することができ、ニッチア属に属する藻類としてはＮ．ｌｅｖｉｄｅｎｓｉｓ、Ｎ．ｍａｒｔｉａｎａ及びＮ．ｔｅｎｕｉａｒｃｕａｔａを例示することができ、ナンノクロロプシス属に属する藻類としてはＮ．ｏｃｕｌａｔａを例示することができ、エミリアニア属に属する藻類としてはＥ．ｈｕｘｌｅｙｉを例示することができ、プレウロクリシス属に属する藻類としてはＰ．ｃａｒｔｅｒａｅ、Ｐ．ｈａｐｔｏｎｅｍｏｆｅｒａ及びＰ．ｒｏｓｃｏｆｆｅｎｓｉｓを例示することができ、ゲフィロカプサ属に属する藻類としてはＧ．ｏｃｅａｎｉｃａを例示することができ、イソクリシス属に属する藻類としてはＩ．ｇａｌｂａｎａを例示することができ、クリソティラ属に属する藻類としてはＣ．ｌａｍｅｌｌｏｓａを例示することができ、ヒメノモナス属に属する藻類としてはＨ．ｃｏｒｏｎａｔａを例示することができ、オクロスファエラ属に属する藻類としてはＯ．ｖｅｒｒｕｃｏｓａを例示することができ、プリムネシウム属に属する藻類としてはＰ．ｐａｒｖｕｍを例示することができ、クリソクロムリナ属に属する藻類としてはＣ．ｈｉｒｔａ、Ｃ．ｐａｒｋｅａｅ及びＣ．ａｌｆｅｒａを例示することができ、フェオキィスティス属に属する藻類としてはＰ．ｐｏｕｃｈｅｔｉｉ及びＰ．ｇｌｏｂｏｓａを例示することができ、カリプトロスファエラ属に属する藻類としてはＣ．ｏｂｌｏｎｇａを例示することができ、ブラルードスファエラ属に属する藻類としてはＢ．ｂｉｇｅｌｏｗｉｉを例示することができ、アノプロソレニア属に属する藻類としてはＡ．ｂｒａｓｉｌｉｅｎｓｉｓを例示することができ、カルキオソレニア属に属する藻類としてはＣ．ｍｕｒｒａｙｉを例示することができ、カルキディスクス属に属する藻類としてはＣ．ｌｅｐｔｏｐｏｒｕｓを例示することができ、コッコリトゥス属に属する藻類としてはＣ．ｐｅｌａｇｉｃｕｓを例示することができ、オオリトトゥス属に属する藻類としてはＯ．ｆｒａｇｉｌｉｓを例示することができ、ウンビリコスファエラ属に属する藻類としてはＵ．ｈｕｌｂｕｒｔｉａｎａ及びＵ．ｓｉｂｏｇａｅを例示することができ、へリコスファエラ属に属する藻類としてはＨ．ｃａｒｔｅｒｉを例示することができ、ポンスファエラ属に属する藻類としてはＰ．ｓｙｒａｃｕｓａｎａを例示することができ、アカントイカ属に属する藻類としてはＡ．ｑｕａｔｔｒｏｓｐｉｎａを例示することができ、アルギロスファエラ属に属する藻類としてはＡ．ｑｕａｄｒｉｃｏｒｎｕを例示することができ、ディスコスファエラ属に属する藻類としてはＤ．ｔｕｂｉｆｅｒａを例示することができ、ラブドスファエラ属に属する藻類としてはＲ．ｃｌａｖｉｇｅｒを例示することができ、カネオスファエラ属に属する藻類としてはＣ．ｍｏｌｉｓｃｈｉｉを例示することができ、コロノスファエラ属に属する藻類としてはＣ．ｍｅｄｉｔｅｒｒａｎｅａを例示することができ、シラコスファエラ属に属する藻類としてはＳ．ｎｏｄａｓａ及びＳ．ｐｕｌｃｈｒａを例示することができ、ドイツランディア属に属する藻類としてはＤ．ａｎｔｈｏｓを例示することができ、ウンベロスフェラ属に属する藻類としてはＵ．ｉｒｒｅｇｕｌａｒｉｓ及びＵ．ｔｅｎｕｉｓを例示することができ、ミカエルサルシア属に属する藻類としてはＭ．ｗｌｗｇａｎｓを例示することができ、オフィアスター属に属する藻類としてはＯ．ｈｙｄｒｏｉｄｅｕｓを例示することができ、パブロバ属に属する藻類としてはＰ．ｇｙｒａｎｓ及びＰ．ｓａｌｉｎａを例示することができる。
【００１４】
これら微細藻類においては、池、沼、湖または海等に発生する微細藻類を有効に使用して消費し、該微細藻類を処理することが好ましいが、該微細藻類は、培養によって増殖させたものを使用しても良い。
【００１５】
この培養によって増殖させる方法としては、藻類は光合成を行って自らのエネルギーとしているため、培養は光照射の下に藻類培養用の培地を置くことによって、通常用いられる培養方法により培養することができる。
【００１６】
以下に、具体的な培養方法の例を示す。
［培養方法１］
培養方法１においては、Ｏ．ｎｅｇｌｅｃｔａ及びＮ．ｆｌａｇｅｌｌｉｆｏｒｍｅの培養条件は淡水性藍藻類を培養する際に用いられているものであれば格別な制限はなく、例えばＭｏｄｅｆｉｅｄ  Ｄｅｔｍｅｒ  ｍｅｄｉｕｍを用いることが出来る。
【００１７】
即ち、蒸留水１０００ｍｌに対して、ＫＮＯ３  １ｇ、ＭｇＳ０４・７Ｈ２Ｏ  ２５０ｍｇ、Ｋ２ＨＰＯ４  ２５０ｍｇ、ＮａＣＬ  １００ｍｇ及びＣａＣｌ２・２Ｈ２Ｏ  １０ｍｇを添加した溶液を調整し、この溶液にＦｅＳ０４・７Ｈ２Ｏ  ２．０ｇ／ｌを含む金属イオン溶液１ｍｌと、Ｈ３ＢＯ３  ２．８６ｇ／ｌ、ＭｎＳＯ４・７Ｈ２Ｏ  ２．５ｇ／ｌ、ＺｎＳＯ４・７Ｈ２Ｏ  ２２２ｍｇ／ｌ、ＣｕＳＯ４・５Ｈ２Ｏ  ７９ｍｇ／ｌ及びＮａ２ＭｏＯ４・２Ｈ２Ｏ  ２１ｍｇ／ｌを含有する微量元素混合溶液１ｍｌを添加した後に、ｐＨを９．０に調整したものを培地として使用する。
【００１８】
培養はＯ．ｎｅｇｌｅｃｔａの細胞濃度が０．０５−０．１ｇ／ｌになるように上記の培地に接種し、２リットル容のガラス製扁平フラスコを用いて行われる。培養期間は７−１０日間が適当であり、培養は炭酸ガスを５％濃度になるように混合した空気を適当な通気手段により導入する好気的条件下において且つ植物育成用蛍光燈を光源として照度を１４２−２８４μｍｏｌｍ−２ｓ−１に設定し、連続光照射下で行うのが好ましい。培養温度２０−２５℃であり、２３℃付近が望ましい。
【００１９】
但し、Ｎ．ｆｌａｇｅｌｌｉｆｏｒｍｅは陸生であり、液体培地を用いた培養は困難であるために、上記培地に寒天を１．５重量％添加した培地を用いる。即ち、蒸留水１０００ｍｌに対して、ＫＮＯ３  １ｇ、ＭｇＳ０４・７Ｈ２Ｏ  ２５０ｍｇ、Ｋ２ＨＰＯ４  ２５０ｍｇ、ＮａＣＬ  １００ｍｇ及びＣａＣｌ２・２Ｈ２Ｏ  １０ｍｇを添加した溶液を調整し、この溶液にＦｅＳ０４・７Ｈ２Ｏ  ２．０ｇ／ｌを含む金属イオン溶液１ｍｌと、Ｈ３ＢＯ３  ２．８６ｇ／ｌ、ＭｎＳＯ４・７Ｈ２Ｏ  ２．５ｇ／ｌ、ＺｎＳＯ４・７Ｈ２Ｏ  ２２２ｍｇ／ｌ、ＣｕＳＯ４・５Ｈ２Ｏ  ７９ｍｇ／ｌ及びＮａ２ＭｏＯ４・２Ｈ２Ｏ  ２１ｍｇ／ｌを含有する微量元素混合溶液１ｍｌを添加した後に、ｐＨを９．０に調整し、これに寒天を１５ｇ／ｌの割合で添加したものを培地として使用する。
【００２０】
この寒天培地をシャーレ（９０ｍｍφ×１５ｍｍ）に約１０ｍｌを流し込み、固まったところにＮ．ｆｌａｇｅ１１ｉｆｏｒｍｅを接種して培養する。尚、Ｎ．ｆｌａｇｅ１１ｉｆｏｒｍｅは他の藻類と比較して増殖速度が遅いために、培養は２０−３０日間継続して行う必要がある。
【００２１】
培養は明期１６時間及び暗期８時間のサイクルとし、植物育成用蛍光燈を光源として照度を１４．２−２８．４μｍｏｌｍ−２ｓ−１（光合成有効量子束密度）の条件に設定するのが好ましい。培養温度は２０−２５℃であり、２３℃付近が望ましい。
【００２２】
［培養方法２］
培養方法２においては、Ｓ．ｐｌａｔｅｎｓｉｓの培養培地は一般的な淡水産藍藻類を培養する際に用いられるものであれば格別な制限はなく、例えばＳＯＴ  ｍｅｄｉｕｍを用いることができる。
【００２３】
即ち、蒸留水１０００ｍｌに対して、ＮａＮＯ３  ２．５ｇ、Ｋ２ＳＯ４  １．０ｇ、Ｋ２ＨＰＯ４  ５００ｍｇ、ＮａＣＬ  １．０ｇ、ＭｇＳＯ４・７Ｈ２Ｏ  ２００ｍｇ、ＣａＣｌ２・２Ｈ２Ｏ  ４０ｍｇ、ＦｅＳＯ４・７Ｈ２Ｏ  １０ｍｇ、Ｎａ２ＥＤＴＡ・２Ｈ２Ｏ  ８０ｍｇ及びＮａＨＣＯ３  １６．８ｇを添加した溶液を調整し、これにＨ３ＢＯ３  ２．８６ｇ／ｌ、ＭｎＳＯ４・７Ｈ２Ｏ  ２．５ｇ／ｌ、ＺｎＳＯ４・７Ｈ２Ｏ  ２２２ｍｇ／ｌ、ＣｕＳＯ４・５Ｈ２Ｏ７９ｍｇ／ｌ及びＮａ２ＭｏＯ４・２Ｈ２Ｏ  ２１ｍｇ／ｌを含有する微量元素混合溶液１ｍｌを添加したものを培地として使用する。
【００２４】
培養は、Ｓ．ｐｌａｔｅｎｓｉｓの細胞濃度が０．０５−０．０１ｇ／ｌとなるように上記の培地に接種し、２リットル容のガラス製扁平フラスコを用いて行われる。培養期間は７−１０日間が適当であり、培養は炭酸ガスを５％濃度になるように混合した空気を適当な通気手段により導入する好気的条件下において且つ植物育成用蛍光燈を光源として照度を１４２−２８４μｍｏｌｍ−２ｓ−１に設定し、連続光照射下で行うのが好ましい。培養温度２０−２５℃であり、２３℃付近が望ましい。
【００２５】
［培養方法３］
培養方法３においては、Ｐ．ｐｕｒｐｕｒｅｕｍ及びＲ．ｖｉｏｌａｃｅａの培養培地は一般的な海産性紅藻類を培養する際に用いられているものであれば格別な制限はなく、例えば、新鮮な濃過海水１０００ｍｌに対してＫＮＯ３  １．０ｇ、ＫＨ２ＰＯ４  ７０ｍｇ、ＦｅＣｌ３・６Ｈ２Ｏ２．  ８ｍｇ、Ｎａ２ＥＤＴＡ・２Ｈ２Ｏ  １９ｍｇを添加した溶液を調整し、これにＺｎＳＯ４・７Ｈ２Ｏ４０ｍｇ／ｌ、Ｈ３ＢＯ３  ６００ｍｇ／ｌ、ＣａＣ１２・２Ｈ２Ｏ  ２．０ｍｇ／ｌ、ＣｕＣｌ２・２Ｈ２Ｏ  ４０ｍｇ／ｌ・ＭｎＣｌ２・４Ｈ２Ｏ  ６２９ｍｇ／ｌ、（ＮＨ４）６Ｍｏ７Ｏ２・４Ｈ２Ｏ  ３７０ｍｇ／ｌを含有する微量元素混合溶液１ｍｌを添加し次いで、チアミン塩酸塩２００ｍｇ／ｌ、ビオチン１ｍｇ／ｌ、シアノコバラミン０．２ｍｇ／ｌを含有するビタミン混合溶液１ｍｌを添加することにより培地を調整した。
【００２６】
この培地にＰ．ｐｕｒｐｕｒｅｕｍまたはＲ．ｖｉｏｌａｃｅａの細胞数が１０−２０×１０４ｃｅｌｌｓ／ｍｌとなるように接種し、２リットル容のガラス製扁平フラスコにて培養した。培養期間は５−７日間が適当であり、培養は空気を適当な手段により導入する好気的条件下において且つ植物育成用蛍光燈を光源として照度を８５．２−１１３．６μｍｏｌｍ−２ｓ−１に設定し、連続光照射下で行うのが好ましい。培養温度は２０−２５℃であり、２３℃付近が望ましい。
【００２７】
［培養方法４］
培養方法４においては、Ｒ．ｍａｒｉｎｕｓの培養培地は一般的な海産性紅藻類を培養する際に用いられるものであれぱ格別な制限はなく、例えばＭｏｄｉｆｉｅｄ  Ｋｏｃｈ  ｍｅｄｉｕｍを用いることができる。
【００２８】
即ち、新鮮な濾過海水１０００ｍｌに対してＫＮＯ３  ０．７５ｇ、Ｋ２ＨＰＯ４  ２５ｍｇ、ＭｇＳＯ４・７Ｈ２Ｏ  ２０ｍｇ、クエン酸アンモニウム鉄  ２．５ｍｇ及びニトリロ三酢酸１０ｍｇを添加することにより調整することができる。
【００２９】
培養はＲ．ｍａｒｉｎｕｓの細胞数が５−７×１０４ｃｅｌｌｓ／ｍｌとなるように上記の培地に接種し、２リットル容のガラス製扁平フラスコにて培養した。培養期間は７−１０日間が適当であり、培養は空気を適当な通気手段により導入する好気的条件下で且つ植物育成用蛍光燈を光源として照度を８５．２−１１３．６μｍｏｌｍ−２ｓ−１に設定し、連続光照射下において行うのが好ましい。培養温度は２０−２５℃であり、２３℃付近が望ましい。
【００３０】
［培養方法５］
培養方法５においては、Ｃ．ｐｙｒｅｎｏｉｄｏｓａの培養培地は一般的な淡水産性緑藻類を培養する際に用いられているものであれば、格別な制限はなく、例えばＭＣ  ｍｅｄｉｕｍを用いることができる。
【００３１】
即ち、蒸留水１０００ｍｌに対してＫＮＯ３  １．２５ｇ、ＭｇＳＯ４・７Ｈ２Ｏ  １．２５ｇ及びＫ２ＨＰＯ４１．２５ｇを添加した溶液を調整し、これにＦｅＳＯ４・７Ｈ２Ｏ  ２．０ｇ／ｌを含む、金属イオン溶液１ｍｌとＨ３ＢＯ３  ２．８６ｇ／ｌ、ＭｎＳＯ４・７Ｈ２Ｏ  ２．５ｇ／ｌ、ＺｎＳＯ４・７Ｈ２Ｏ  ２２２ｍｇ／ｌ、ＣｕＳＯ４・５Ｈ２Ｏ  ７９ｍｇ／ｌ及びＮａ２ＭｏＯ４・２Ｈ２Ｏ  ２１ｍｇ／ｌを含有する微量元素混合溶液１ｍｌを添加したものを培地として用いる。尚、培養は既述の培養方法２に準じて行うことができる。
【００３２】
［培養方法６］
培養方法６においては、Ｄ．ｓａｌｉｎａの培養培地は一般的な海産性緑藻類を培養する際に用いられているものであれぱ格別な制限はないが、塩濃度が２Ｍとなるようにする。
【００３３】
即ち、新鮮な濾過海水１０００ｍｌに対してＮａＣｌ  １１７．０ｇ、ＫＮＯ３  ７６ｍｇ、ＭｇＳＯ４・７Ｈ２Ｏ  １．２３ｇ、ＣａＣｌ・２Ｈ２Ｏ  ２９ｍｇ、ＫＨ２ＰＯ４  ２７ｍｇ及びＮａＨＣＯ３  ４．２ｇを添加した溶液を調整し、これにＣｕＣｌ２・２Ｈ２Ｏ  ２００ｍｇ／ｌ、ＺｎＣｌ２  １００ｍｇ／ｌ、ＣｏＣｌ２・６Ｈ２Ｏ  ２００ｍｇ／ｌ、ＭｎＣｌ２・４Ｈ２Ｏ  ６００ｍｇ／ｌ、ＦｅＣｌ３・６Ｈ２Ｏ  ４００ｍｇ、（ＮＨ４）Ｍｏ７Ｏ２４・４Ｈ２Ｏ  １．２ｇ／ｌ及びＮａ２ＥＤＴＡ・２Ｈ２Ｏ  ２．２ｇ／ｌを含有する微量元素混合溶液１ｍｌを添加することにより培地を調整する。尚、培養は既述の培養方法２に準じて行うことができる。
【００３４】
［培養方法７］
培養方法７においては、Ｃ．ｅｈｒｅｎｂｅｒｇｉｉの培養培地は一般的な淡水性緑藻類を培養する際に用いられているものであれば格別な制限はなく、例えばＣ  ｍｅｄｉｕｍを用いることができる。
【００３５】
即ち、蒸留水１０００ｍｌに対してＣａ（ＮＯ３）２・４Ｈ２Ｏ  ０．１５ｇ、ＫＮＯ３  ０．１ｇ、ＭｇＳＯ４・７Ｈ２Ｏ  ０．０４ｇ、β−Ｎａ２ｇｌｙｃｅｒｏｐｈｙｓｐｈａｔｅ  ０．０５ｇ及びＴｒｉｓ  ｈｙｄｒｏｘｙｍｅｔｈｙｌ  ａｍｉｎｏｍｅｔｈａｎｅ  ０．５ｇを添加した溶液を調整し、これにＦｅＣＬ３・６Ｈ２Ｏ  １９６ｍｇ／ｌ、ＭｎＣｌ２・４Ｈ２Ｏ  ３６ｍｇ／ｌ、ＺｎＣｌ２  １０．５ｍｇ／ｌ、ＣｏＣｌ２・６Ｈ２Ｏ  ４ｍｇ／ｌ、Ｎａ２ＭｏＯ４・２Ｈ２Ｏ  ２．５ｍｇ／ｌ及びＮａ２ＥＤＴＡ・２Ｈ２Ｏ  １ｇ／ｌを含む微量元素混合溶液１ｍｌとチアミン塩酸塩１０ｍｇ／ｌ、シアノコバラミン  ０．１ｍｇ／ｌ、ビオチン  ０．１ｍｇ／ｌを含有するビタミン混合溶液１ｍｌを添加した後、ｐＨを７．５に調整したものを培地として使用する。
【００３６】
培養は、Ｃ．ｅｈａｒｅｎｂｅｒｇｉｉの細胞数が１００−２００ｃｅｌｌｓ／ｍｌとなるように接種し５００ｍｌ容の各型培養ビンにて培養した。培養期間は１０−１４日間が適当であり、静置蛍光燈を光源として照度を２０−６０μＥ／ｍ２／ｓに設定し、明期１６時間及び暗期８時間のサイクルが好ましい。培養温度は２２−２５℃であり、２３℃付近が望ましい。
【００３７】
［培養方法８］
培養方法８においては、Ｐ．ｃａｒｔｅｒａｅ及びＰ．ｐｏｕｃｈｅｔｉｉの培養培地は一般的な海産性ハプト藻類を培養する際に用いられているものであれば格別な制限はなく、例えばＥｐｐｌｅｙ’ｓ  ｍｅｄｉｕｍを用いることができる。
【００３８】
即ち、新鮮な濾過海水１０００ｍｌに対してＫＮＯ３  ５０．５ｍｇ、及びＫ２ＨＰＯ４  ８．７ｍｇを添加した溶液にＣｕＳＯ４・５Ｈ２Ｏ  １９．６ｍｇ／ｌ、ＺｎＳＯ４・５Ｈ２Ｏ  ４４ｍｇ／ｌ、ＣｏＣｌ２・６Ｈ２Ｏ  ２０ｍｇ／ｌ、ＭｎＣｌ２・４Ｈ２Ｏ  ３６０ｍｇ／ｌ、Ｎａ２ＭｏＯ４・２Ｈ２Ｏ  １２．６ｍｇ／ｌ及びＦｅ−ＥＤＴＡ  １０ｇ／ｌからなる微量元素混合溶液  １ｍｌを添加し、次いで、チアミン塩酸塩  ２００ｍｇ／ｌ、ビオチン  １ｍｇ／ｌ、シアノコバラミン  ０．２ｍｇ／ｌを含有するビタミン混合溶液  １ｍｌを添加することにより培地を調整する。
【００３９】
培養は、Ｐ．ｃａｒｔｅｒａｅ及びＰ．ｐｏｕｃｈｅｔｉｉの細胞数が  １０−２０×１０５ｃｅｌｌｓ／ｍｌとなるように培地に接種し、２リットル容のガラス製扁平フラスコを用いて行った。培養期間は５−７日間が適当であり、培養は空気を適当な通気手段により導入する好気的条件下に且つ植物育成用蛍光燈を光源として照度を８５．２−１４２μｍｏｌｍ−２ｓ−１に設定し、連続光照射下において行うのが好ましい。培養温度は２０−２５℃であり、２３℃付近が望ましい。
【００４０】
［培養方法９］
培養方法９においては、Ｅ．ｇｒａｃｉｌｉｓの培養培地は一般的なユーグレナ藻類を培養する際に用いられているものであれば、格別な制限はなく、例えばＨｕｔｎｅｒ  Ｅｕｇｌｅｎａ  ｍｅｄｉｕｍを用いることができる。
【００４１】
即ち、蒸留水  １０００ｍｌに対してＫＨ２ＰＯ４  ２０ｍｇ、ＭｇＳＯ４・７Ｈ２Ｏ  ２５ｍｇ、Ｓｏｄｉｕｍ  ａｃｅｔａｔｅ  ４００ｍｇ、Ｐｏｔａｓｓｉｕｍ  ｃｉｔｒａｔｅ  ４０ｍｇ、Ｐｏｌｙｐｅｐｔｏｎｅ  ６００ｍｇ、Ｙｅａｓｔ  ｅｘｔｒａｃｔ  ４００ｍｇ、Ｖｉｔａｍｉｎ  Ｂ１２  ０．５μｇ及びＴｈｉａｍｉｎｅ  ＨＣｌ  ０．４ｍｇを添加した溶液を調整したものを培地として用いる。尚、培養は既述の培養方法２に準じて行うことができる。
【００４２】
このようにして培養された微細藻類から抽出液または抽出残渣を得る場合は、少なくとも一種の微細藻類に液体を添加し、これを撹拌して前記微細藻類の成分を抽出し、これを濾過することによって抽出残渣を得ることができ、また、前記濾過して前記抽出残渣を取り除いた抽出液を得ることができる。この液体としては、例えば、水、エタノール、メタノール、アセトン、グリセリン等を使用することができる。
【００４３】
このような前記微細藻類から前記抽出液または前記抽出残渣を得るいくつかの具体的な方法の例を以下に示す。
［抽出液または抽出残渣を得る方法１］
前記微細藻類から前記抽出液または前記抽出残渣を得る第１の方法は、池、沼、湖または海等に発生した微細藻類または培養した微細藻類の藻体を収穫し、該藻体の濃度が１−７０％となるように水を添加し、室温−９０℃程度で約１−２４時間程攪拌・抽出し、これを濾過して前記抽出液または前記抽出残渣を得ることができる。
【００４４】
［抽出液または抽出残渣を得る方法２］
前記微細藻類から前記抽出液または前記抽出残渣を得る第２の方法は、前記藻体濃度が１−７０％となるように１０−９０％エタノールまたは無水エタノールを添加し、室温の場合は約１−２４時間攪拌抽出し、１０−６０℃の場合は約１−２４時間還流抽出し、これを濾過して前記抽出液または前記抽出残渣を得ることができる。
【００４５】
［抽出液または抽出残渣を得る方法３］
前記微細藻類から前記抽出液または前記抽出残渣を得る第３の方法は、前記藻体濃度が１−７０％となるように１０−９０％アセトンを添加し、室温の場合は約１−２４時間攪拌抽出し、１０−３０℃の場合は約１−９６時間還流抽出し、これを濾過して前記抽出液または前記抽出残渣を得ることができる。
【００４６】
このようにして得た前記抽出液または前記抽出残渣は、それぞれ凍結乾燥させても良い。この凍結乾燥は、減圧条件下において、前記抽出液または前記抽出残渣を凍結させると共に、これらを乾燥させるものであり、このように凍結乾燥することによって、前記抽出液または前記抽出残渣を容易に保存できるようになるのである。
【００４７】
本発明で使用する微細藻類は、そのいずれからも目的の効果の高い抽出液及び残渣が得られる。したがって、各々から個別に抽出しても、任意に微細藻類を組み合わせて抽出しても良い。
【００４８】
以下に、微細藻類を使用した紙またはマルチングシート等のシート材の製造方法の例を示す。
［製造例１］
微細藻類を使用したシート材の第１の製造方法は、ハプト藻綱プリムネシウム目フェオキィスティス属のＰｈａｅｏｃｙｓｔｉｓ  ｓｐ．  ｓｔｒａｉｎ  ＭＡＣ０４３０Ｋ  １Ｋｇに水を１０Ｋｇ添加し、これを撹拌したものを塗工処理剤として用い、パルプを主原料としたマルチングシートの表面（片面または両面）に前記塗工処理剤を塗布し、該塗布したマルチングシートを乾燥させることにより、その表面を微細藻類によって塗工処理し、微細藻類を使用したマルチングシートが得られた。
【００４９】
［製造例２］
微細藻類を使用したシート材の第２の製造方法は、藍藻綱クロオコックス目シネコキスチス属のＳ．ａｑｕａｔｉｌｉｓ  １Ｋｇにエタノール１０Ｋｇを添加し、これを５０℃で８時間撹拌して前記Ｓ．ａｑｕａｔｉｌｉｓの成分を抽出し、これを濾過して得た抽出残渣、及び該抽出残渣を取り除いた抽出液を混合したものを塗工処理剤として用い、パルプを主原料とした紙の表面（片面または両面）に前記濾過した抽出残渣及び抽出液からなる塗工処理剤を塗布し、該塗布した紙を乾燥させることにより、その表面を微細藻類の抽出液によって塗工処理し、微細藻類を使用した紙が得られた。
【００５０】
［製造例３］
微細藻類を使用したシート材の第３の製造方法は、緑藻綱オオヒゲマワリ目クロレラ属のＣ．ｐｖｒｅｎｏｉｄｏｓａ  ５００ｇと、紅藻綱チノリモ目チノリモ属のＰ．ｐｕｒｕｐｕｒｅｕｍ  ５００ｇとにアセトン１０Ｋｇを添加し、これを約３０℃で３時間撹拌して前記Ｃ．ｐｖｒｅｎｏｉｄｏｓａ及びＰ．ｐｕｒｕｐｕｒｅｕｍの成分を抽出し、これを濾過して得た抽出残渣を塗工処理剤として用い、パルプを主原料としたマルチングシートの表面（片面または両面）に前記抽出残渣からなる塗工処理剤を塗布し、該塗布したマルチングシートを乾燥させることにより、その表面を微細藻類の抽出残渣によって塗工処理し、微細藻類を使用したマルチングシートが得られた。
【００５１】
つまり、少なくとも一種の前記微細藻類に前記液体を添加し、これを撹拌したもの、該撹拌をして前記微細藻類の成分を抽出した後に濾過して得た抽出残渣、または該抽出残渣を取り除いた抽出液、のいずれか一種または二種以上を混合させたものを塗工処理剤として用い、パルプを主原料とする紙またはマルチングシート等のシート材の表面（片面または両面）に前記塗工処理剤を塗布して、前記シート材を乾燥させることにより、その表面を微細藻類からなる塗工処理剤によって塗工されたシート材を得ることできる。この塗布する量は、塗工処理されるシート材の約１５〜５０重量％程度であることが好ましい。
【００５２】
この際、シート材の表面を塗工する前記塗工処理剤においては、該塗工処理剤に紙力増強剤を添加しても良く、該添加量は、塗工処理するシート材の１〜３重量％であることが好ましい。この紙力増強剤としては、天然系の高分子化合物、水溶性の合成高分子化合物またはラテックスの一種または二種以上からなる紙力増強剤を使用することができる。
【００５３】
この天然系の高分子化合物としては、アセチル化澱粉、カチオン化澱粉、両性澱粉、尿素リン酸エステル化澱粉、ヒドロキシエチル化澱粉、ヒドロキシエチルエーテル化澱粉、アルファ澱粉、特殊変性アルファ澱粉、カチオン化アルファ澱粉、グラフト化澱粉、酸化澱粉、グアーガム、特殊変性グアーガム、カルボキシメチル化グアーガム、カチオン化グアーガム、両性グアーガム、リン酸化グアーガム、酸化グアーガム、ヒドロキシエチルエーテル化グアーガムまたは乳タンパク質のいずれかを使用することができる。
【００５４】
要するに、微細藻類が生分解性を有することから、シート材の表面（片面または両面）に微細藻類の混合液体からなる塗工処理剤、微細藻類の抽出液からなる塗工処理剤、またはその抽出残渣からなる塗工処理剤（以下微細藻類等の塗工処理剤という）を塗布させるだけという、簡単な作業によって、前記シート材を生分解性にすることが容易にできるのである。
【００５５】
このように、微細藻類を使用して紙または農業用のマルチングシート等のシート材を製造することにより、池、沼、湖または海等に発生した微細藻類を処理でき、シート材の表面に前記微細藻類等の塗工処理剤を塗布するという、簡単な作業であるため、微細藻類を使用したシート材を簡単に製造でき、既存の紙またはマルチングシート等のシート材も容易に生分解性のシート材にすることができるようになる。
【００５６】
また、前記微細藻類等の塗工処理剤が前記シート材の表面に存在するばかりでなく、該シート材の内部にも染み込むため、該シート材の全体が生分解性になると共に、分解のきっかけが早期に生じることになるため、前記シート材が速やかに生分解されるようにできる。
【００５７】
更に、一般的なマルチングシートは、該一般的なマルチングシートが紫外線を吸収できるようにするため、カーボン等の紫外線吸収物質を含有または塗布しているが、本発明に係る微細藻類を使用したシート材は、微細藻類が紫外線の吸収作用を有しているため、シート材の表面に微細藻類からなる塗工処理剤を塗布することにより、該シート材に紫外線の吸収性をもたせることもでき、前記カーボン等の紫外線吸収物質を含有または塗布しない場合であっても、微細藻類を使用したシート材は、紫外線を吸収できるのである。
【００５８】
前記微細藻類等の塗工処理剤に前記紙力増強剤を添加した場合には、前記シート材を生分解性にできると共に、該シート材の強度を強くすることができ、該シート材が長期間保存できるようになるのである。
【００５９】
更に、前記塗工処理剤が塗布されるシート材としては、少なくとも一種の微細藻類をそのまま、該微細藻類に液体を添加及び撹拌して前記微細藻類の成分を抽出した後に濾過して得た抽出残渣、または該抽出残渣を取り除いた抽出液、のいずれか一種または二種以上を混合させて微細藻類混合物として用い、パルプをスラリー状にしたパルプスラリーに前記微細藻類混合物を添加して撹拌し、これを抄紙して得たシート材を使用することができる。
【００６０】
この微細藻類混合物をパルプのスラリーに混合させる量は、該パルプのスラリーに対して前記微細藻類混合物を約１〜３５重量％程度添加させることが好ましく、前記微細藻類等の塗工処理剤を前記シート材の表面に塗布する量と前記微細藻類混合物との総量が、シート材の約１５〜５０重量％程度になることが好ましい。
【００６１】
また、前記抽出液あるいはその抽出残渣、または微細藻類そのままのいずれかを前記パルプスラリーに混合させる際、抄紙して完成される前記シート材に対して１〜３重量％の前記紙力増強剤を添加しても良く、該紙力増強剤を前記シート材に添加することにより、前記シート材の強度を強くすることができ、該シート材の保存性等を良くすることができるのである。
【００６２】
更に、主原料となる前記パルプとしては、例えば、広葉樹、針葉樹、草木類を原料としたＧＰ、ＰＧＷ、ＴＭＰ、ＣＴＭＰ、ＲＧＰ、ＣＭＰ、ＳＣＰ、ＫＰ、ＳＰ等の晒パルプもしくは未晒パルプ、または古紙再生パルプもしくは廃パルプ等の基材となる原料を使用することができる。
【００６３】
このようにして得られた微細藻類等の塗工処理剤を塗工したシート材は、土壌に放置した際に、分解される速度が速く、同一の土壌で続けて栽培を行うときに使用する農業用のマルチングシートとして適したものである。また、同一の土壌で続けて栽培を行う必要がなく、分解の速度が遅くても良い場合には、必ずしも前記微細藻類等の塗工処理剤を前記シート材の表面に塗布して塗工処理する必要はなく、前記シート材に前記微細藻類、前記抽出液または前記抽出残渣のいずれかを混合させたシート材を用いても良いのである。
【００６４】
【発明の効果】
以上説明したように、本発明に係る微細藻類を使用したシート材の製造方法は、パルプを主原料としたシート材の表面に微細な藻類を使用して塗工処理したシート材の製造方法であって、少なくとも一種の微細藻類に液体を添加し、これを撹拌したもの、該撹拌をして前記微細藻類の成分を抽出した後に濾過して得た抽出残渣、または該抽出残渣を取り除いた抽出液、のいずれか一種または二種以上を混合させて塗工処理剤にし、パルプを主原料とするシート材の表面に前記塗工処理剤を塗布して、前記シート材を乾燥させることにより、池、沼、湖または海等に発生した微細藻類を処理でき、該微細藻類をそのまま使用した場合、または、抽出液と抽出残渣とを混合して使用した場合には、廃棄される微細藻類がなく、また、シート材の表面に前記微細藻類等の塗工処理剤を塗布するという、簡単な作業であるため、微細藻類を使用したシート材を簡単に製造でき、該シート材に紫外線の吸収性をもたせることができるという優れた効果を奏する。
【００６５】
更に、既存の紙またはマルチングシート等のシート材も容易に生分解性のシート材にすることができ、その際、前記微細藻類等の塗工処理剤が前記シート材の表面に存在すると共に、該微細藻類等の塗工処理剤が前記シート材の内部に染み込むため、分解のきっかけが早期に生じることになり、前記シート材が速く分解されるという優れた効果を奏する。